(57)【要約】【課題】電波の送信及び／又は受信のために必要なアンテナ占有面積を無くし、或いは大幅に縮小することが出来る携帯型通信機器を提供する。【解決手段】本発明に係る携帯型通信機器は、ＦＭ回路３と、所定の機器動作を行なうための電子部品２と、該電子部品２を動作させるための主回路１とが内蔵され、ＦＭ回路３のアンテナ給電端子には電子部品２の金属製構成部材が接続されて、該金属製構成部材がアンテナ機能を発揮する。【選択図】図１
2007194803.tif 000002
【特許請求の範囲】
【請求項１】
ケーシング(６)の内部に、電波の送信及び／又は受信のための高周波回路と、所定の機器動作を行なうための少なくとも１つの電子部品(２)と、該電子部品(２)を動作させるための主回路(１)とが内蔵された携帯型通信機器において、前記高周波回路のアンテナ給電端子には前記電子部品(２)の金属製構成部材が接続されて、該金属製構成部材がアンテナ機能を発揮することを特徴とする携帯型通信機器。
【請求項２】
前記主回路(１)と前記電子部品(２)の間を流れる信号に対し、前記高周波回路によって送信又は受信すべき電波の周波数を通過阻止帯域に含むフィルタ特性を発揮すると共に、前記電子部品(２)と前記高周波回路の間を流れる信号に対し、前記高周波回路によって送信又は受信すべき電波の周波数を通過帯域に含むフィルタ特性を発揮する、フィルタ手段(４)を具えている請求項１に記載の携帯型通信機器。
【請求項３】
前記高周波回路はＦＭ放送波を受信するためのＦＭ回路(３)である請求項１又は請求項２に記載の携帯型通信機器。
【請求項４】
前記電子部品は、着信を報知するバイブレータ(21)である請求項１乃至請求項３の何れかに記載の携帯型通信機器。
【請求項５】
前記電子部品は、受話音を放出するスピーカ(22)である請求項１乃至請求項３の何れかに記載の携帯型通信機器。
【請求項６】
前記高周波回路に対し、複数の電子部品の金属製構成部材が接続されている請求項１乃至請求項５の何れかに記載の携帯型通信機器。
【請求項７】
前記高周波回路に対し、内蔵型のアンテナエレメント(８)が接続されている請求項１乃至請求項６の何れかに記載の携帯型通信機器。
【発明の詳細な説明】
【技術分野】
【０００１】
本発明は、ＦＭ放送波等の電波の送信及び／又は受信が可能な携帯型通信機器に関するものである。
【背景技術】
【０００２】
従来、ＦＭ放送波を含む複数の放送波を受信することが可能な携帯電話機が提案されている(特許文献１)。
例えば図８に示す携帯電話機は、ケーシング(６)内にＦＭ用のアンテナエレメント(８)が配備されており、回路基板(７)上のＦＭ回路(３)をアンテナエレメント(８)に接続して、ＦＭ放送波の受信を可能としている。
【０００３】
該携帯電話機において、アンテナエレメント(８)は板金製であって、アンテナ長が５０〜７０ｍｍ、幅が１〜２ｍｍに形成されており、回路基板(７)上のグランドの影響によってアンテナ性能が劣化しない様、アンテナエレメント(８)の周囲には、図中にハッチングで示す様に幅１〜２ｍｍ程度のグランド排除領域、即ちグランドや金属部材の設置を禁止する領域を確保していた。
【特許文献１】特開２００５−１５９８２７号公報［H04B1/18］
【発明の開示】
【発明が解決しようとする課題】
【０００４】
しかしながら、携帯電話機において、アンテナの占有面積とアンテナ性能は互いにトレードオフの関係にあり、アンテナ占有面積を減らすと、アンテナ性能が低下するため、携帯電話機の小型化に限界がある問題があった。
そこで本発明の目的は、電波の送信及び／又は受信のために必要なアンテナ占有面積を無くし、或いは大幅に縮小することが出来る携帯型通信機器を提供することである。
【課題を解決するための手段】
【０００５】
本発明に係る携帯型通信機器は、ケーシング(６)の内部に、電波の送信及び／又は受信のための高周波回路と、所定の機器動作を行なうための少なくとも１つの電子部品(２)と、該電子部品(２)を動作させるための主回路(１)とが内蔵されており、前記高周波回路のアンテナ給電端子には電子部品(２)の金属製構成部材が接続されて、該金属製構成部材がアンテナ機能を発揮することを特徴とする。
【０００６】
具体的には、前記高周波回路はＦＭ放送波を受信するためのＦＭ回路(３)である。
又、前記電子部品は、着信時に着信を報知するバイブレータ(21)や、受話音を放出するスピーカ(22)である。
【０００７】
上記本発明の携帯型通信機器においては、電子部品(２)の金属製構成部材がアンテナ機能を発揮するので、従来のアンテナエレメントを完全に省略し、若しくはそのアンテナ長を短縮することが出来る。
【０００８】
具体的構成においては、前記主回路(１)と前記電子部品(２)の間を流れる信号に対し、前記高周波回路によって送信又は受信すべき電波の周波数を通過阻止帯域に含む第１のフィルタ特性を発揮すると共に、前記電子部品(２)と前記高周波回路の間を流れる信号に対し、前記高周波回路によって送信又は受信すべき電波の周波数を通過帯域に含む第２のフィルタ特性を発揮する、フィルタ手段(４)を具えている。
【０００９】
該具体的構成によれば、フィルタ手段(４)の第１のフィルタ特性によって、主回路(１)から電子部品(２)へ供給される信号はフィルタ手段(４)を通過して、電子部品(２)を動作させるが、高周波回路に入力されることはない。
又、フィルタ手段(４)の第２のフィルタ特性によって、電子部品(２)がアンテナとなって受信した信号は、フィルタ手段(４)を通過して高周波回路へ供給されるが、主回路(１)に入力されることはない。
【００１０】
又、具体的構成においては、前記高周波回路に対し、複数の電子部品の金属製構成部材が接続されている。
これによって、全体として充分に大きなアンテナ長が確保されて、従来のアンテナエレメントを省略したとしても、必要なアンテナ性能を得ることが出来る。
【発明の効果】
【００１１】
本発明に係る携帯型通信機器によれば、電波の送信及び／又は受信のために必要なアンテナ占有面積を無くし、或いは大幅に縮小することが出来、これによって機器の小型化を図ることが出来る。
【発明を実施するための最良の形態】
【００１２】
以下、本発明を携帯電話機に実施した形態につき、図面に沿って具体的に説明する。
本発明に係る携帯電話機は、図１に示す基本構成の如く、ＦＭ放送波を受信するためのＦＭ回路(３)と、所定の機器動作を行なうための電子部品(２)と、該電子部品(２)を動作させるための主回路(１)とを具えており、電子部品(２)は第１のフィルタ手段(４)を介して主回路(１)とＦＭ回路(３)に接続されている。又、電子部品(２)は第２のフィルタ手段(５)を介してグランドに接続されている。
尚、電子部品(２)は、後述の如く金属製の構成部品を具えており、該構成部品がＦＭ回路(３)と接続されて、ＦＭアンテナとしての機能を発揮する。
【００１３】
第１のフィルタ手段(４)は、主回路(１)と電子部品(２)の間を流れる信号に対し、図２(ｂ)に示す如く電子部品(２)を流れる信号の周波数ｆ1に通過帯域を有する一方、該周波数ｆ1よりも高い周波数ｆo(約１００ＭＨｚ)に通過阻止帯域を有する第１のフィルタ特性を発揮すると共に、電子部品(２)からＦＭ回路(３)へ流れる信号に対し、図２(ａ)に示す如く電子部品(２)を流れる信号の周波数ｆ1に通過阻止帯域を有する一方、該周波数ｆ1よりも高い周波数ｆo(約１００ＭＨｚ)に通過帯域を有する第２のフィルタ特性を発揮するものである。
又、第２のフィルタ手段(５)は、図２(ｂ)に示す如く電子部品(２)を流れる信号の周波数ｆ1に通過帯域を有する一方、該周波数ｆ1よりも高い周波数ｆo(約１００ＭＨｚ)に通過阻止帯域を有するフィルタ特性を発揮するものである。
【００１４】
ここで、主回路(１)から電子部品(２)へ供給される信号(制御信号若しくは駆動信号)は、直流若しくはＦＭ帯域よりも充分に周波数の低い交流信号であるため、フィルタ手段(４)を通過して電子部品(２)へ供給され、電子部品(２)を動作させる。
これに対し、電子部品(２)がＦＭアンテナとなって受信した信号は、ＦＭ帯域の周波数(約１００ＭＨｚ)を有しているので、主回路(１)への通過は阻止されるが、フィルタ手段(４)を通過してＦＭ回路(３)へ供給され、ＦＭ放送の音声再生動作が行なわれる。
【００１５】
図３は、本発明に係る携帯電話機の第１の具体的構成を示しており、前記電子部品(２)として、バイブレータ(21)が採用されている。
図示の如く、主回路(１)はチップフェライトビーズ(41)を介して着信報知用のバイブレータ(21)に接続され、バイブレータ(21)は更にチップフェライトビーズ(51)を介してグランドに接続されている。
又、バイブレータ(21)とチップフェライトビーズ(51)の間の連結点は、コンデンサＣ１を介してＦＭ回路(３)に接続されている。
【００１６】
尚、バイブレータ(21)は、例えば内蔵モータのコイルがＦＭ回路(３)と接続されて、ＦＭアンテナの機能を発揮する。
【００１７】
該携帯電話機においては、バイブレータ(21)がＦＭアンテナとなって受信したＦＭ放送波は、コンデンサＣ１を通過して、ＦＭ回路(３)の給電端子に供給される。
一方、着信時にバイブレータ(21)を動作させるための駆動信号は、主回路(１)からチップフェライトビーズ(41)を経てバイブレータ(21)に供給され、バイブレータ(21)を動作させる。
【００１８】
図４は、本発明に係る携帯電話機の第２の具体的構成を示しており、前記電子部品(２)として、受話用若しくはリンガー用のスピーカ(22)が採用されている。
図示の如く、スピーカ(22)の正負一対の端子はチップフェライトビーズ(43)(44)を介して主回路(１)に接続されている。又、スピーカ(22)と一方のチップフェライトビーズ(44)との連結点は、コンデンサＣ２を介してＦＭ回路(３)に接続されている。
【００１９】
尚、スピーカ(22)は、例えばボイスコイルがＦＭ回路(３)と接続されて、ＦＭアンテナの機能を発揮する。
【００２０】
該携帯電話機においては、スピーカ(22)がＦＭアンテナとなって受信したＦＭ放送波は、コンデンサＣ２を通過して、ＦＭ回路(３)の給電端子に供給される。
一方、通話時にスピーカ(22)を動作させるための駆動信号は、主回路(１)からチップフェライトビーズ(43)を経てスピーカ(22)に供給され、スピーカ(22)を動作させる。
【００２１】
図５は、本発明に係る携帯電話機の第３の具体的構成を示しており、前記電子部品(２)として、バイブレータ(21)とスピーカ(22)とが採用されている。
図示の如く、主回路(１)はチップフェライトビーズ(41)を介してバイブレータ(21)に接続され、バイブレータ(21)は更にチップフェライトビーズ(51)を介してグランドに接続されている。そして、バイブレータ(21)とチップフェライトビーズ(51)の間の連結点が、コンデンサＣ１を介してＦＭ回路(３)に接続されている。
又、スピーカ(22)の正負一対の端子はチップフェライトビーズ(43)(44)を介して主回路(１)に接続されている。そして、スピーカ(22)と一方のチップフェライトビーズ(44)との連結点が、コンデンサＣ２を介してＦＭ回路(３)に接続されている。
【００２２】
該携帯電話機においては、バイブレータ(21)とスピーカ(22)がＦＭアンテナとなって受信したＦＭ放送波は、コンデンサＣ１、Ｃ２を通過して、ＦＭ回路(３)の給電端子に供給される。
【００２３】
又図６は、本発明に係る携帯電話機の第４の具体的構成を示しており、前記第３の具体的構成に追加して、従来から搭載されている内蔵のアンテナエレメント(８)が、コンデンサＣ３を介して、主回路(１)とスピーカ(22)の間の連結点に接続されている。
【００２４】
該携帯電話機によれば、バイブレータ(21)及びスピーカ(22)がアンテナエレメント(８)のアンテナ性能を補充するので、アンテナエレメント(８)のアンテナ長を従来よりも大幅に短縮することが出来、これによって携帯電話機の構成部品の配置をコンパクトなものとすることが出来る。
【００２５】
更に図７は、ＦＭ回路(３)に対し、アンテナエレメント(８)、バイブレータ(21)、スピーカ(22)に加えて、他の１以上の電子部品(23)を接続したものであって、アンテナエレメント(８)の更なる小型化が可能となる。
【００２６】
上述の如く本発明に係る携帯電話機によれば、電波の送信及び／又は受信のために必要なアンテナ占有面積を無くし、或いは大幅に縮小することが出来るので、携帯電話機の更なる小型化を図ることが出来る。
【００２７】
尚、本発明の各部構成は上記実施の形態に限らず、特許請求の範囲に記載の技術的範囲内で種々の変形が可能である。例えば、電子部品(２)によって受信すべき電波はＦＭ放送波に限らず、ＦＭ帯域〜数百ＭＨｚの様々な電波であってもよく、この場合にも本発明の効果が得られる。
【図面の簡単な説明】
【００２８】
【図１】本発明に係る携帯電話機の基本構成を示すブロック図である。
【図２】フィルタ手段の２つの通過特性を示すグラフである。
【図３】本発明に係る携帯電話機の第１の具体的構成を示すブロック図である。
【図４】本発明に係る携帯電話機の第２の具体的構成を示すブロック図である。
【図５】本発明に係る携帯電話機の第３の具体的構成を示すブロック図である。
【図６】本発明に係る携帯電話機の第４の具体的構成を示すブロック図である。
【図７】本発明に係る携帯電話機の第５の具体的構成を示すブロック図である。
【図８】従来の携帯電話機のアンテナエレメントの配置を説明する図である。
【符号の説明】
【００２９】
(１)  主回路
(２)  電子部品
(21)  バイブレータ
(22)  スピーカ
(３)  ＦＭ回路
(４)  フィルタ手段
(41)  チップフェライトビーズ
(42)  チップフェライトビーズ
(43)  チップフェライトビーズ
(５)  フィルタ手段
(51)  チップフェライトビーズ
(８)  アンテナエレメント
【図１】
2007194803.tif 000003
【図２】
2007194803.tif 000004
【図３】
2007194803.tif 000005
【図４】
2007194803.tif 000006
【図５】
2007194803.tif 000007
【図６】
2007194803.tif 000008
【図７】
2007194803.tif 000009
【図８】
2007194803.tif 000010